(57)【要約】  電子タグ放送システムおよび電子タグを利用した放送方法を提供する。これにより、電子タグを利用した放送を介して、放送信号に撮影された各物品についての情報を含め、これを介して従来の複雑な手作業による関連情報結合を画期的に変化させ、放送コンテンツに含まれた認識情報を活用して双方向放送と放送／通信結合との長所を増加させ、大規模な新規製品および市場を生成できる。また、放送の有する大衆性を介して電子タグの使用と関連アプリケーションとをさらに普遍化させることによって、ＲＦＩＤ／ＵＳＮ／通信／放送が融合される多様なサービスの集約を可能にし、便利なユビキタス社会の到来を早める。
2008547305.tif 000002
【特許請求の範囲】
【請求項１】
識別番号を備え、既定の周波数帯域の信号を検知するとき前記識別番号を送信する電子タグと、
物品およびその周辺を撮影することにより取得された撮影画面に含まれた物品に対応する前記電子タグに保存された情報を読むために、前記既定周波数帯域を有する信号を出力し、前記信号に応答する前記電子タグからデータを読み出すリーダ部と、
前記撮影された画像および音声信号を、前記電子タグの認識番号および前記リーダ部から読み出したデータと結合し、前記結合した情報を多重化して放送信号を生成する放送信号生成部と
を備えることを特徴とする電子タグ放送システム。
【請求項２】
前記電子タグに近接している物品についての情報があらかじめ前記電子タグに入力されて保存されていれば、前記電子タグは前記電子タグの近接物品についての前記情報を送信し、
前記リーダ部は、前記近接物品についての情報を読み出し、
前記放送信号生成部は、前記近接物品についての情報を、前記撮影された画像、前記音声信号、および前記電子タグの認識番号に結合し、前記結合した情報を多重化し、前記放送信号を生成することを特徴とする請求項１に記載のシステム。
【請求項３】
前記電子タグは、ＲＦＩＤ（Ｒａｄｉｏ Ｆｒｅｑｕｅｎｃｙ Ｉｄｅｎｔｉｆｉｃａｔｉｏｎ）タグを備えることを特徴とする請求項１または２に記載の電子タグ放送システム。
【請求項４】
前記放送信号生成部は、前記画像、前記音声信号を、前記リーダ部から読み出した前記情報に結合するときに、時間同期およびエンコードを実行することを特徴とする請求項１または２に記載のシステム。
【請求項５】
前記放送信号生成部により生成された前記放送信号を録画または再生する録画部をさらに備えることを特徴とする請求項１または２に記載のシステム。
【請求項６】
前記リーダ部は、
一定の周波数帯域を有する信号として前記電子ＲＦＩＤタグから情報を要求するために、電子ＲＦＩＤタグへのコマンドを送信し、前記周波数帯域の前記範囲内に近づく前記電子ＲＦＩＤタグから、前記電子ＲＦＩＤタグに格納された認識番号および情報を受信するアンテナと、
前記アンテナへの前記周波数帯域を有する前記信号を送信する送信部であって、前記信号は前記電子ＲＦＩＤタグへ送信された送信部と、
前記アンテナから受信した前記電子タグ情報を読み出し、認識する受信部と、
前記受信部により受信した前記認識情報および前記電子タグ情報をデジタルデータに変換するか、または前記電子タグ情報を含んだ信号を抽出し、前記送信部および前記受信部が送信／受信コマンドを実行するのを制御し、前記放送信号生成部が情報を送信／受信するのを制御する認識制御部と
を備えることを特徴とする請求項１または２に記載のシステム。
【請求項７】
前記アンテナ、前記送信部、および前記受信部は、複数の電子タグに対応して複数であり、
前記認識制御部は、複数の前記電子タグを認識するために、複数の前記アンテナ、前記送信部、および前記受信部を制御し、情報を送信／受信することを特徴とする請求項６に記載のシステム。
【請求項８】
前記アンテナは、複数の電子タグに対応して複数であることを特徴とする請求項６に記載のシステム。
【請求項９】
前記電子タグおよび前記リーダ部は、既定の認証およびエンコード手段を使用して情報を通信することを特徴とする請求項１または２に記載のシステム。
【請求項１０】
前記電子タグに格納されている情報は、前記電子タグの位置または前記電子タグが近接している物品の位置についての情報を備えることを特徴とする請求項１または２に記載のシステム。
【請求項１１】
前記放送信号生成部は、前記撮影された画像信号を、ＪＰＥＧイメージフォーマットを含む静止画像に変え、前記変えられた画像および前記リーダ部から読み出された前記情報をメタデータ画像として生成することを特徴とする請求項１または２に記載のシステム。
【請求項１２】
前記放送信号生成部により生成された前記放送信号を衛星、地上波、ＣＡＴＶ(Closed-Circuit TV)、ＤＭＢ(Digital Multimedia Broadcasting)、移動体通信網、およびインターネット網を含む通信網を介して送信する放送信号送信部をさらに備えることを特徴とする請求項１または２に記載のシステム。
【請求項１３】
撮影する物品の近い電子タグの認識番号および前記電子タグに保存されていた前記撮影する物品についての情報である電子タグ関連データを、撮影する画像および音声信号と共にエンコードし、前記エンコードされたデータを多重化し、前記多重化されたデータを送信することにより、取得された放送信号を受信する電子タグ放送システムであって、
前記多重化された放送信号を受信し、前記受信した放送信号を画像、音声信号、および電子タグ関連データに分離する分離化部と、
前記分離化された画像および音声信号を再生し、同時に再生上の前記撮影された物品についての情報を、前記電子タグの認識番号によって表示する再生部と
を備えることを特徴とする電子タグ放送システム。
【請求項１４】
前記再生部は、前記分離化部で分離された前記画像、音声、および電子タグ関連情報をそれぞれデコードするビデオデコーダ、音声デコーダ、およびＲＦＩＤデコーダを備えることを特徴とする請求項１３に記載のシステム。
【請求項１５】
前記再生部は、前記分離されてデコードされたＲＦＩＤ認識情報を、既定の方法を使用して別々に管理する認識情報管理部／処理部をさらに備えることを特徴とする請求項１４に記載のシステム。
【請求項１６】
前記電子タグ放送システムは、
前記インターネットを含む通信網を介して前記認識情報管理部／処理部に接続され、複数の電子タグのそれぞれに含まれる物品についての認識番号、および前記その認識番号と関連する追加情報を提供するＲＦＩＤアプリケーションサーバについてのＵＲＩ(Universal Resource Identifier)情報を格納し、ＲＦＩＤ認識情報が前記認識情報管理部／処理部を介して入力される場合に、前記入力ＲＦＩＤ認識情報に応答して前記ＵＲＩ情報を送信するＲＦＩＤ認識情報確認サーバと、
前記ＵＲＩ情報によって前記ＲＦＩＤ認識情報確認サーバへ接続された前記認識情報管理部／処理部の前記要求において、ウェブサービスまたはウェブの方式で前記ＲＦＩＤ認識情報に対応するデータを提供するＲＦＩＤアプリケーションサーバと
をさらに備えることを特徴とする請求項１５に記載のシステム。
【請求項１７】
認識番号を備える電子タグを認識し、近接している物品についての情報をあらかじめ格納し、既定の周波数帯域を有する信号を感知するとき、前記電子タグの識別番号および前記電子タグの近接している前記物品についての前記情報を送信する放送方法であって、
（ａ）前記電子タグに近接した前記物品を撮影することにより取得された画面に含まれた物品に対応する前記電子タグに格納された情報を読むために、前記既定の周波数帯域を有する信号を出力するステップと、
（ｂ）前記既定の周波数帯域を有する前記信号に応答して、前記電子タグから電子タグ関連データを受信するステップと、
（ｃ）前記撮影された画像および音声信号を、（ｂ）ステップで受信した前記電子タグの認識番号および電子タグ関連データと結合し、前記結合された情報を多重化し、放送信号を生成するステップと、
（ｄ）前記生成された放送信号を衛星、地上波、ＣＡＴＶ、ＤＭＢ、移動体通信網、およびインターネット網を含む通信網を介して送信するステップと、
（ｅ）前記送信された放送信号を受信し、前記受信した信号を画像、音声信号、および電子タグ関連データに分離するステップと、
（ｆ）前記分離化された画像と音声信号とを再生し、同時に前記電子タグの認識番号によって、再生画面上の前記撮影された物品についての情報を表示するステップと
を備えたことを特徴とする放送方法。
【請求項１８】
（ｇ）前記電子ＲＦＩＤタグの認識番号、および複数の電子ＲＦＩＤタグのそれぞれに含まれる物品の認識番号を、追加情報を提供する前記ＲＦＩＤアプリケーションサーバの前記ＵＲＩを含む前記ＲＦＩＤ認識情報確認サーバに送信し、前記送信された電子ＲＦＩＤタグの認識番号に対応するＵＲＩ情報を受信するステップと、
（ｈ）前記受信したＵＲＩ情報によって前記ＲＦＩＤ認識情報確認サーバへ接続され、前記ＲＦＩＤアプリケーションサーバから送信された前記電子ＲＦＩＤタグの認識番号に対応する情報を受信し、再生画面上の前記情報を表示するステップと
をさらに備えたことを特徴とする請求項１７に記載の方法。
【発明の詳細な説明】
【技術分野】
【０００１】
本発明は、通信に関し、より詳しくは、電子タグ放送システムおよび電子タグを使用した放送方法に関する。
【背景技術】
【０００２】
従来、物品にバーコードを付けて物品(object)についての情報を表し利用している。しかし、バーコードは、記録された情報の量や損傷／変質／偽造の可能性、認識可能な距離の可能性に制限されている。
【０００３】
最近、従来型のバーコード技術の置き換えとして、新たな電子タグ技術であるＲＦＩＤ（Ｒａｄｉｏ Ｆｒｅｑｕｅｎｃｙ Ｉｄｅｎｔｉｆｉｃａｔｉｏｎ）が提案されている。電子タグであり、自動認識技術であるＲＦＩＤタグは、バーコードおよびスマートカードと似た機能を行うが、長距離認識が可能であり、衝突防止としても機能でき、数個の物品を同時に認識できる、したがって、バーコードおよびスマートカードより広いアプリケーションを有する。
【０００４】
ＲＦＩＤシステムは、周波数領域によって分類されるが、低周波ＲＦＩＤシステム（３０〜５００ＫＨｚ）は、短距離を認識できるが、コストは高くない。一方で高周波ＲＦＩＤシステム（８００ＭＨｚ〜９５０ＭＨｚ、２.４ＧＨｚ〜２.５ＧＨｚ）は、長距離を認識でき、高い認識速度を提供するが、コストはより高く、カバーされた物品は認識できない。
【０００５】
ＲＦＩＤシステムは、別々の自動認識システムを必要とせず、その他の自動認識システムと共存または補充できる。ＲＦＩＤシステムは、放送を含む多様な分野に適用できる。
【０００６】
放送技術の発達と共に知能化された双方向放送は、たとえば現在の放送画像に含まれる主人公のコスチューム、アクセサリー、家具などの多様な物品情報を提供することを必要とされる。しかし、多様な追加情報を自動的に入力する従来技術の方法はない。
【０００７】
データ放送についてのコンテンツ再生ツールは、リアルタイムにデータを製作するか、標準規格へのプログラミング言語の適用は、プログラマまたはデザイナーがデータ放送コンテンツを製作するのに使用される。これに関して、コンテンツのライフタイムの間に手動またはリアルタイムでデータをアップデートまたは送信することは実質上不可能である。データが部分的にアップデートまたは送信されたとしても、リアルタイムデータ情報を含むデータ放送コンテンツを製作し、リアルタイムデータとの関係を構築する専用の再生ツールと、リアルタイムデータコンテンツを自動的にアップデートするシステムが絶対的に必要とされる。
【０００８】
従来のデータ放送コンテンツ製作技術分野では、リアルタイムデータを含むデータ放送コンテンツを製作するためのリアルタイムアプリケーション、およびリアルタイムアプリケーションとオペレーティングシステムが必要とするたびに、プログラミング言語を使用してリアルタイムアプリケーションに必要のためのリアルタイムオペレーティングシステムを製作しなければならない。また、データ放送コンテンツのためのリアルタイムデータの処理は専門家によりプログラミングされるので、リアルタイムデータ情報を含むデータ放送コンテンツを製作するのは難しい。
【０００９】
データ放送は、リアルタイムに送信またはアップデータとされるように、データ放送コンテンツ内にリアルタイムデータを含むコンテンツを可能にするプログラミングを必要とする。しかし、リアルタイムデータを管理および処理するシステムは提供されていないので、リアルタイムにデータを処理することは難しい。
【００１０】
従来型のリアルタイムデータ放送は、スケジュールされた放送しなりオアに関する追加データを用意し、音声／ビデオ信号を含む放送信号を送信するか、または手動の動作を介して放送信号を編集する。
【発明の開示】
【発明が解決しようとする課題】
【００１１】
しかし、従来型のリアルタイムデータ放送は、すべての追加情報がスケジュールされた手順で準備されていて、リアルタイムにアップデートされた追加情報は自動的に反映され、制限されたリアルタイムサービスでさえを提供するのに、多くの専門家の手動の動作を必要とする。
【課題を解決するための手段】
【００１２】
本発明はリアルタイムデータと共に放送データを自動的に提供可能な電子タグ放送システム、および電子タグを使用する放送方法を提供する。
本発明の態様によると、識別番号を備え、既定の周波数帯域の信号を検知するとき識別番号を送信する電子タグと、物品およびその周辺を撮影することにより取得された撮影画面に含まれた物品に対応する電子タグに保存された情報を読むために、既定周波数帯域を有する信号を出力し、信号に応答する前記電子タグからデータを読み出すリーダ部と、撮影された画像および音声信号を、電子タグの認識番号およびリーダ部から読み出したデータと結合し、結合した情報を多重化して放送信号を生成する放送信号生成部とを備えた電子タグ放送システムが提供される。
【００１３】
電子タグに近接している物品についての情報があらかじめ電子タグに入力されて保存されていれば、電子タグは電子タグの近接物品についての前記情報を送信し、リーダ部は、近接物品についての情報を読み出し、放送信号生成部は、近接物品についての情報を、撮影された画像、音声信号、および電子タグの認識番号に結合し、結合した情報を多重化し、放送信号を生成する。
【００１４】
本発明の他の態様によると、撮影する物品の近い電子タグの認識番号および電子タグに保存されていた撮影する物品についての情報である電子タグ関連データを、撮影する画像および音声信号と共にエンコードし、エンコードされたデータを多重化し、多重化されたデータを送信することにより、取得された放送信号を受信する電子タグ放送システムであって、多重化された放送信号を受信し、受信した放送信号を画像、音声信号、および電子タグ関連データに分離する分離化部と、分離化された画像および音声信号を再生し、同時に再生上の撮影された物品についての情報を、電子タグの認識番号によって表示する再生部とを備える電子タグ放送システムが提供される。
【００１５】
本発明のさらに別の態様によると、認識番号を備える電子タグを認識し、近接している物品についての情報をあらかじめ格納し、既定の周波数帯域を有する信号を感知するとき、電子タグの識別番号および電子タグの近接している物品についての情報を送信する放送方法であって、（ａ）電子タグに近接した物品を撮影することにより取得された画面に含まれた物品に対応する電子タグに格納された情報を読むために、既定の周波数帯域を有する信号を出力するステップと、（ｂ）既定の周波数帯域を有する信号に応答して、電子タグから電子タグ関連データを受信するステップと、（ｃ）撮影された画像および音声信号を、（ｂ）ステップで受信した電子タグの認識番号および電子タグ関連データと結合し、結合された情報を多重化し、放送信号を生成するステップと、（ｄ）生成された放送信号を衛星、地上波、ＣＡＴＶ、ＤＭＢ、移動体通信網、およびインターネット網を含む通信網を介して送信するステップと、（ｅ）送信された放送信号を受信し、受信した信号を画像、音声信号、および電子タグ関連データに分離するステップと、（ｆ）分離化された画像と音声信号とを再生し、同時に電子タグの認識番号によって、再生画面上の撮影された物品についての情報を表示するステップとを備えた放送方法が提供される。
【００１６】
上記の方法は、（ｇ）電子ＲＦＩＤタグの認識番号、および複数の電子ＲＦＩＤタグのそれぞれに含まれる物品の認識番号を、追加情報を提供するＲＦＩＤアプリケーションサーバのＵＲＩを含むＲＦＩＤ認識情報確認サーバに送信し、送信された電子ＲＦＩＤタグの認識番号に対応するＵＲＩ情報を受信するステップと、（ｈ）受信したＵＲＩ情報によってＲＦＩＤ認識情報確認サーバへ接続され、ＲＦＩＤアプリケーションサーバから送信された電子ＲＦＩＤタグの認識番号に対応する情報を受信し、再生画面上の情報を表示するステップとをさらに備える。
【発明の効果】
【００１７】
第一に、放送技術において、知能化された双方向放送が、たとえば現在放送画像に含まれた主人公の服、アクセサリー、家具などの多様な物品情報を提供する必要があるにもかかわらず、多様な追加情報を自動的に入力する従来技術の方法がなく、本発明により解決できる。
【００１８】
第二に、メモリを含む電子ＲＦＩＤタグは、製造日、原産地品質保証、流通フロー、有効期限、明細、製造者などを含む多くの商品情報を格納でき、音声および画像情報と共に認識情報を送信でき、本発明は、放送画像および音声に含まれる多様な物品およびコンテンツに関する追加サービスおよびデータを自動的にアップデートする追加放送アプリケーションおよびサービスを提供できる。
【００１９】
第三に、本発明は、電子タグリーダ部を含む放送入力装置を介して、電子タグに含まれる複数の場所および運用(facility)についての識別情報を、音声および画像と結合でき、したがって、多様な追加情報を含む放送コンテンツの再生を促進し、通信／放送の連結を加速し、より便利な生活をユーザに提供する。
【００２０】
第四に、位置、観光、交通、および商品についての情報を含む電子ＲＦＩＤタグについての情報を含む画像および音声を記録および再生し、盗難防止およびセキュリティシステムにおけるＲＦＩＤ認識情報を含む画像信号を記録しするために、電子タグリーダ部を含む放送入力装置の改良であるカムコーダ(camcorder)またはＣＣＴＶを、個人または企業が自由に使い、結果として電子ＲＦＩＤタグ上に多様な情報を含む放送アプリケーションの開発となる。
【００２１】
第五に、ＴＶ、セットップボックス、ＤＭＢ端末機、またはＩＰ−ＴＶなどの放送受信端末は、電子タグについての認識情報を格納する放送信号を受信し、画面上に表示された多様な物品についての情報から所望の物品を選択することにより詳細情報を取得するか、またはたとえば電子商取引を介して商品の購入などの知能化された放送サービスを使用する。さらに、放送受信端末は、たとえばコマーシャルまたはドラマ放送上で現れる商品の実際の購入、もしくはまたは観光ガイド放送における結合された観光情報の検索などの結合された情報を提供する。
【００２２】
本発明はその例示的ナ実施形態を参照して特に示され、説明されてきたが、特許請求の範囲で定義される本発明の精神および範囲から逸脱することなく、形式および詳細の様々な変更がなされうることを当業者は理解されたい。
【００２３】
上述および本発明の他の特徴および有利点は、添付の図面を参照してその詳細な例示的な実施形態において説明されることにより、より明らかになるだろう。
【発明を実施するための最良の形態】
【００２４】
本発明の実施形態についての説明に先立ち、ウェブサービス技術とＲＦＩＤシステムとについて説明する。
【００２５】
ウェブサービス技術は、ＸＭＬベースの標準規格を使用するシステムやアプリケーションにより提供される知能化された多様なサービスについての技術のことをいう。規格は、ＨＴＴＰ、ＨＴＭＬ、およびＵＲＬ技術および情報表現方法を介してインターネット上に分散されている情報資源に関して現在提供される。ＸＭＬは、構造化されたデータがインターネット上で送信されるのを可能になることによって、既存にＨＴＭＬベースの多くの情報がＸＭＬベースの情報として新たに処理され、これによりインターネット技術におけるターニングポイントとなった。
【００２６】
ウェブサービスは、このようなＸＭＬ技術をベースのサービスのウェブ技術と呼ばれる。ＸＭＬをベースにしたメッセージング規格とサービス技術規格、および送信プロトコルについての規格を使用してウェブサービスは相互連結される。
【００２７】
既存のウェブが単純にＨＴＭＬにベースを置いてユーザに情報を提供する人間中心の環境であるとしたら、ウェブサービスは、多様なサービスをＸＭＬベースに接近し、ＳＯＡＰ（Ｓｉｍｐｌｅ Ｏｂｊｅｃｔ Ａｃｃｅｓｓ Ｐｒｏｔｏｃｏｌ）プロトコルとＷＳＤＬ（Ｗｅｂ Ｓｅｒｖｉｃｅｓ Ｄｅｓｃｒｉｐｔｉｏｎｎ Ｌａｎｇｕａｇｅ）とを利用して連動可能にすることにより、プラットホームと言語とに中立的な開発が可能であり、多様な自動化されたアプリケーションを可能にする技術である。したがって、ウェブサービスが実現されれば、いかなる機器、いかなるプログラムもＳＯＡＰを介して所望の遠隔サービスを提供され、あたかも自身のサービスの一部のように使用できる。
【００２８】
したがって、ウェブサービス技術を利用すれば、クライアントは、自分の有していないサービスまたは機能を新たに開発せず、既に開発されて提供されているウェブサービスを呼び出して利用できる。
【００２９】
このようなウェブサービスの長所によって、インターネットベースの分散アプリケーション統合技術が打ち出されており、そのうちでも特にウェブサービスベースのサービス指向構造（ＳＯＡ：Ｓｅｒｖｉｃｅ−Ｏｒｉｅｎｔｅｄ Ａｒｃｈｉｔｅｃｔｕｒｅ）が注目されている。多くの専門家は、ウェブサービス技術とサービス志向構造とを介して、これから人間の介入なしに自動化されたプログラムとプログラム、プログラムと装置との相互作用が可能になると予想している。
【００３０】
特に、このようなウェブサービス技術は、ユーザがコンピュータやネットワークを意識しない状態で場所に拘らず、自由にネットワークに接続して装置を統制して使用できる環境を意味するユビキタス時代が始まりながら、さらに注目されている。世界各国では、ユビキタスコンピュータおよびネットワーク関連技術を開発しており、このような核心要素をベースにウェブサービス技術をユビキタス環境に適用するための多様なユビキタスウェブサービス技術についての研究を試みている。
【００３１】
ＲＦＩＤタグは、自動認識技術の一つであって、バーコードおよびスマートカードと類似した機能を行うが、遠距離認識が可能であり、衝突防止機能があり、同時に複数個を認識できるなど技術的長所によって、バーコード、スマートカードに比べて活用範囲が広い。もちろん、まだバーコードに比べてコストが高く、スマートカードに比べてコスト競争力は有しているが、メモリ容量が少ないという短所も有している。しかしながら、無限な可能性で多様な技術開発が進められており、これから幅広く広がると予想されている。
【００３２】
ＲＦＩＤシステムは、３つの要素、すなわち、アンテナ、タグ／ラベルおよびリーダ／ライタに大別され、多様な物品を接触せずに認識する技術である。すなわち、トランスポンダ、いわゆる、電子タグと、電子タグリーダ装置と、ホストコンピュータまたはデータを加工できる装備とで構成され、前記電子タグは、多様な用途とニーズとに合わせて作られた半導体チップおよび電子タグリーダ装置から送信される周波数を受信できるアンテナとを備えている。
【００３３】
前記電子タグが電子タグリーダ装置内のアンテナの周波数有効範囲内を通過すれば、電子タグリーダ装置から出る信号を感知して、電子タグ内に格納されていた認識情報を電子タグリーダ装置に送り、電子タグリーダ装置は、アンテナと電波をやり取りできる回路とを備え、電子タグから受信した認識情報をホストに伝達する。
【００３４】
ＲＦＩＤの主要方式は、次の表のように、Ｒｅａｄ／Ｗｒｉｔｅ能、タグの電源有無、リーダ／タグ間の周波数方式に大別される。
【００３５】
【表１】
2008547305.tif 000003
【００３６】
タグの種類は、Ｒｅａｄ／Ｗｒｉｔｅ能によってＲｅａｄ−Ｏｎｌｙ、Ｗｒｉｔｅ Ｏｎｃｅ Ｒｅａｄ Ｍａｎｙ（ＷＯＲＭ）、Ｒｅａｄ／Ｗｒｉｔｅの３つの方式に区分するが、Ｒｅａｄ−Ｏｎｌｙタグは、製造時にプログラミングされて情報内容の変更が不可であるが、コストが低いので、単純認識方式のＲＦＩＤアプリケーション分野に主に使われ、ＷＯＲＭタグは、ユーザがデータをプログラミングできてプログラムおよびデータの変更が可能なアプリケーションに使われる。
【００３７】
また、タグ上の信号発振器の存否によってＡｃｔｉｖｅ方式またはＰａｓｓｉｖｅ方式に分けるが、通常、狭義の分類方式によって、タグの電源としてバッテリが要求される能動的（ａｃｔｉｖｅ）方式とバッテリが要求されない受動的（ｐａｓｓｉｖｅ）方式とに分類する。
【００３８】
【表２】
2008547305.tif 000004
【００３９】
以下、添付された図面を参照して本発明の望ましい一実施形態を詳細に説明する。
【００４０】
図１は、本発明による電子タグ放送システムの構成の一例を示すブロック図である。
【００４１】
該システムは、自身を表す認識番号を内蔵し、近接している物品についての情報をあらかじめ入力されて格納しており、既定周波数帯域の信号を感知すれば、前記識別番号と近接物品についての情報とを伝送する電子タグ１０００、前記物品およびその周辺を撮影する時の撮影画面に含まれた物品に対応する前記電子タグに格納された情報を読むために、前記既定周波数帯域の信号を出力し、その信号に応答する前記電子タグからの情報である電子タグ関連データを読み出すリーダ部１１００、前記撮影された画像および音声信号をリーダ部１１００によって読み出した認識番号および物品に対応する情報である電子タグ関連データと結合し、かつ多重化して放送信号を生成する放送信号生成部１２００、放送信号生成部１２００が生成した放送信号を衛星、地上波、ＣＡＴＶ（Ｃａｂｌｅ ＴＶ）、ＤＭＢ（Ｄｉｇｉｔａｌ Ｍｕｌｔｉｍｅｄｉａ Ｂｒｏａｄｃａｓｔｉｎｇ）、移動通信網およびインターネット網を含む通信網を介して送信する放送信号送信部１３００、送信された放送信号を受信して分離化して画像、音声信号、電子タグ関連データに分離する分離化部１４００および分離化された画像と音声信号とを再生しつつ、再生画面に表示される撮影された物品についての情報を前記電子タグ認識番号によって前記再生画面と同時に表示できる再生部１５００を備える。
【００４２】
図２は、本発明によって電子タグを利用した放送方法の一例を示すフローチャートである。
【００４３】
自身を表す認識番号を内蔵し、近接している物品についての情報をあらかじめ入力されて格納しており、既定周波数帯域の信号を感知すれば、前記識別番号と近接物品についての情報とを伝送する電子タグを認識して放送するこの方法は、前記電子タグが近接している物品を撮影する時に撮影画面に含まれた物品に対応する前記電子タグに格納された情報を読むために前記既定周波数帯域の信号を出力し（ステップ２０００）、前記出力された周波数帯域の信号に応答する前記電子タグからの情報である電子タグ関連データを受信し（ステップ２１００）、前記撮影された画像および音声信号をステップ２１００で受信した電子タグ認識番号および物品に対応する情報である電子タグ関連データと結合し、かつ多重化して放送信号を生成する（ステップ２２００）。そして、生成された放送信号を衛星、地上波、ＣＡＴＶ、ＤＭＢ、移動通信網およびインターネット網を含む通信網を介して送信し（ステップ２３００）、前記送信された放送信号を受信して分離化して画像、音声信号、電子タグ関連データに分離し（ステップ２４００）、前記分離化された画像と音声信号とを再生しつつ、再生画面に表示される撮影された物品についての情報を前記電子タグ認識番号によって前記再生画面と同時に表示してユーザに提供する（ステップ２５００）。
【００４４】
撮影する時に画面に写される物品あるいは撮影小品についての情報を共に放送信号に含めることが、本発明の目的の一つである。このために撮影される物品のうち、その物品についての情報を含めようとするものに電子タグを付ける。この電子タグには、電子タグを付けられた物品についての情報があらかじめ格納されており、撮影されるとき、その電子タグは、撮影されてはならず、このために非接触、すなわち無線の経路を介して、その情報が撮影と同時に伝達される必要がある。
【００４５】
したがって、このような電子タグは、ＲＦＩＤタグを含むことが望ましい。この時のＲＦＩＤ電子タグは、多様な周波数帯域を使用することもあり、能動的にバッテリを使用するか、あるいは受動的に別々のバッテリを使用しないこともあり、ＲｅａｄＯｎｌｙ、ＷＯＲＭあるいはＲｅａｄ／Ｗｒｉｔｅ機能として実現される。
【００４６】
撮影される物品についての情報は、多様な形が可能である。例えば、その物品の品名、素材、コスト、販売される所についての情報（例えば、連絡電話番号、インターネットサイトのＵＲＬ情報など）、用途などの情報を含みうる。
【００４７】
そして、ＲＦＩＤ電子タグ１０００が格納している情報は、電子タグまたは電子タグが近接している物品の位置についての情報も含むことが望ましい。これを介して撮影される現場についての位置情報が分かる。
【００４８】
このような物品についての情報が放送信号として伝えられることを所望する物品をあらかじめ選定して、その物品についての情報をＲＦＩＤタグ１０００にあらかじめ格納し、そのタグを撮影するカメラには露出されないように、その物品の内部や物品の底部の下、その物品付近の場所、あるいはその物品を含む包装材の内部のような所を利用してＲＦＩＤタグ１０００を付ける。
【００４９】
このＲＦＩＤ電子タグ１０００は、自身を表す認識番号を内蔵し、既定周波数帯域の信号が自身に伝送されれば、その信号を感知して識別番号とあらかじめ格納している近接物品についての情報とを伝送する。
【００５０】
前記のようにＲＦＩＤ電子タグが準備された物品およびその周辺を撮影する時の撮影画面に含まれた物品が含まれるとき、その物品に対応するＲＦＩＤ電子タグに格納された情報を読むために、リーダ部１１００は、ＲＦＩＤ電子タグの規格に合う帯域の周波数を有する信号を出力し（ステップ２０００）、その信号に応答するＲＦＩＤ電子タグ１０００から情報を伝送される信号を読み出す（ステップ２１００）。
【００５１】
このようなリーダ部１１００は、撮影するカメラ、カムコーダ、ＣＣＴＶのような装置に付加されて実現される。
【００５２】
リーダ部１１００は、ＲＦＩＤ電子タグ１０００に情報を要求する命令を一定の周波数の帯域を有する信号として電子タグ１０００に送信し、前記周波数範囲内に近接した電子タグ１０００からの認識番号と電子タグに格納されて伝送される情報とを受信するアンテナ、ＲＦＩＤ電子タグ１０００に送信するための前記周波数帯域の信号を前記アンテナに送信する送信部、前記アンテナを介して受信された電子タグ情報をリーダおよび認識する受信部、および前記受信部から受信した認識情報と保存されている情報とをデジタルに変換するか、またはその情報を含む信号を検出しつつ保存し、前記送信部および受信部を制御して送受信と関連した命令を実行し、放送信号生成部１２００への情報送受信を制御する認識制御部を備えることが望ましい。
【００５３】
撮影される一画面に位置する物品が複数個であり、複数のＲＦＩＤ電子タグから同時に情報を伝送されるために、前記アンテナ、送信部および受信部は、複数のＲＦＩＤ電子タグに対応して複数個で構成されており、前記認識制御部は、複数のアンテナ、送信部および受信部を制御して複数のＲＦＩＤ電子タグを認識し、かつ情報を送受信することが望ましい。
【００５４】
一方、アンテナのみがＲＦＩＤ電子タグに対応して複数個存在し、その複数のアンテナに対して一つの送信部、受信部および認識制御部が存在することもある。また、一つのアンテナのみで複数のＲＦＩＤ電子タグの周波数領域に対応する信号を伝送および受信して複数の物品についての情報を同時に受信することもある。
【００５５】
各ＲＦＩＤ電子タグは、固有の認識情報を含んでおり、この認識情報がリーダ部１１００に伝えられるので、複数のＲＦＩＤ電子タグから情報を受信しても、各ＲＦＩＤ電子タグから情報を混同せずに受信および処理しうる。
【００５６】
このような各場合についての実現は、当業者には、自明なことであるので、それ以上の説明は省略する。
【００５７】
そして、前記のような構成を介してＲＦＩＤ電子タグ１０００とリーダ部１１００との間の情報送受信には、保安が必要である。このために、ＲＦＩＤ電子タグ１０００とリーダ部１１００との間の情報送受信は、既定の認証および暗号化方式によって保安がなされることが望ましい。このための認証方法および暗号化方式は、本発明のために特別の規格を必要とせず、通常的な多様な方法を使用して実現しうる。
【００５８】
前記のようなリーダ部１１００の細部構成の例および動作については、以後に詳細に説明される。
【００５９】
放送信号生成部１２００は、前記撮影された画像および音声信号をリーダ部１１００によって読み出したＲＦＩＤ電子タグの認識番号および物品に対応する情報と結合し、かつ多重化して放送信号を生成する（ステップ２２００）。
【００６０】
放送信号生成部１２００は、前記画像、音声信号およびリーダ部１１００によって読み出したＲＦＩＤ電子タグの認識番号および物品に対応する情報を結合する時に時間同期してエンコードすることが望ましい。これを介して、同時間帯に撮影された画面とその画面に撮影された物品についての情報とが同じ時間帯に同期される。
【００６１】
このとき、結合とは、撮影されたイメージをエンコードすることを含みうる。撮影された画像、録音された音響およびＲＦＩＤ電子タグから受信したデータは、それぞれビデオエンコーダ、音声エンコーダおよびＲＦＩＤエンコーダのような手段によってエンコードされ、時間同期手段を介して時間同期されて多重化される。
【００６２】
そして、図１の装置は、放送信号生成部１２００で生成された放送信号を録画または再生する録画部をさらに備えることが望ましい。放送信号でもって生成された内容を録画し、その録画された結果を再生させてみる必要があるためである。
【００６３】
また、このとき、放送信号生成部１２００は、撮影された内容を動画だけでなく、静止画面にも生成することもある。いわば、スチールイメージを生成することである。この時の静止画面あるいは静止画像にも撮影され、その静止画像に含まれた物品についての情報が含まれてこそ本発明の要旨が保持される。このために、放送信号生成部１２００は、前記撮影された画像信号をＪＰＥＧイメージフォーマットを含む静止画像に変更して、リーダ部１１００によって読み出した情報と共にメタデータの形式に生成することが望ましい。
【００６４】
例えば、静止画像で保存する時にイメージに該当する地域の位置情報をメタデータフィールドに保存すれば、その後にＪＰＥＧ形式で必要な情報を使用しうる。すなわち、ＪＰＥＧ形式内にイメージデータと共にメタデータが格納される。
【００６５】
前記説明と共にＲＦＩＤ電子タグ１０００からの情報をリーダして放送信号として生成するシステム１０００ないし１２００は、図１のように使われることもあるが、独立的に放送信号生成システムとして使われることもある。
【００６６】
このようなシステムで、リーダ部１１００と放送信号生成部１２００とは、放送撮影のためのカメラ、カムコーダのような装置として使われ、それ以外にも多様な形態で使われる。
【００６７】
放送信号生成部１２００が放送信号を生成すれば、放送信号送信部１３００は、画像、音響およびＲＦＩＤ電子タグからの物品関連情報が結合された放送信号を送信する（ステップ２３００）。このような放送信号は、衛星、地上波、ＣＡＴＶのような公衆放送網だけでなく、移動通信網を介してＤＭＢ、ＶＯＤ（Ｖｉｄｅｏ Ｏｎ Ｄｅｍａｎｄ）のような形態で送信されることもあり、インターネットを介してＩＰ−ＴＶ（Ｉｎｔｅｒｎｅｔ Ｐｒｏｔｏｃｏｌ−Ｔｅｌｅｖｉｓｉｏｎ）、ＡＯＤ（Ａｕｄｉｏ Ｏｎ Ｄｅｍａｎｄ）、ＶＯＤのような形態で送信されることもある。
【００６８】
このとき、撮影された内容が直ぐ送信されることもあるが、前記録画部で録画された内容が送信されることもある。
【００６９】
分離化部１４００は、多様な経路を介して送信された放送信号を受信して分離化して、画像、音声信号、物品情報の含まれた電子タグ関連データに分離する（ステップ２４００）。
【００７０】
そして、再生部１５００は、前記分離化された画像と音声信号とを再生しつつ、再生画面に表示される撮影された物品についての情報を前記電子タグ認識番号によって前記再生画面と同時に表示する（ステップ２５００）。
【００７１】
このとき、再生部１５００は、分離化部１４００で分離された画像、音声、電子タグ関連情報をそれぞれデコードするビデオデコーダ、音声デコーダおよびＲＦＩＤ認識情報デコーダを含むことが望ましい。
【００７２】
分離化部１４００と再生部１５００とは、放送信号を受信して分離化し、エンコードして再生するシステムであって、例えば、ＴＶ、セットップボックス、ＤＭＢ端末機、ＩＰ−ＴＶ端末などの放送端末に実現される。すなわち、他の構成要素１０００ないし１３００がなくても、分離化部１４００および再生部１５００のみを含んで独立的なシステムに実現される。
【００７３】
このようなシステムは、前記分離されてデコードされたＲＦＩＤ認識情報を既定の方法によって別々管理するための認識情報管理部／処理部をさらに備えることが望ましい。
【００７４】
これについては、後述する。
【００７５】
図３は、本発明による放送システムの構成の詳細な一例を示す図面であって、図３は、図１の各構成要素を詳細にその内部構成を示し、追加的なサービスのための構成要素が含まれた図面である。
【００７６】
そして、以下では、混同のない限りＲＦＩＤ電子タグの認識番号には、電子タグに格納された撮影される物品についての情報も含まれたと説明する。
【００７７】
図３を参照すると、放送システムは、放送用コンテンツおよび素材物品１００に付けられ、各物品の多様な情報を格納しており、かつ周波数有効範囲内の信号を感知するとき、該当情報を送信するＲＦＩＤ電子タグ１０１と；電子タグ１０１に記録された情報を読み出すための有効周波数信号を送信するか、または有効周波数範囲内に入った前記電子タグから情報を読み出したＲＦＩＤリーダ部１１１、およびこの電子タグリーダ部１１１から受けた認識情報を含む情報を撮影部１１５が撮影および録音した画像／音声信号と結合して放送信号を作る多重化部１１４、放送信号を録画する録画部１１３、および内部を制御する制御部１１２を備える放送信号入力装置１１０と；このような電子タグ認識情報が含まれた放送信号を放送網１４０／移動通信網１４１／インターネット網１４２を利用して伝送する放送送信システム１３０と；電子タグ認識情報が含まれた放送信号を受信して分離できる分離化部１５１と認識情報格納機能を有するＴＶ、セットップボックス、ＤＭＢ端末機、ＩＰ−ＴＶ端末における電子タグ放送受信のための放送受信端末１５０と；前記再生機能を行う放送受信端末１５０とインターネットを含む通信網とを介して連結されて、各電子タグに入っている物品についての認識番号と共に、その認識番号と関連して追加情報を提供するＲＦＩＤアプリケーションサーバについてのＵＲＩ情報を格納し、ＲＦＩＤ認識情報が入力されれば、それに対応するＵＲＩを応答として伝送するＲＦＩＤ認識情報確認サーバ１６０と；ＲＦＩＤ認識情報確認サーバ１６０から伝送されたＵＲＩ情報によって接続されて情報が要求されれば、前記ＲＦＩＤ認識情報に対応するデータをウェブサービスまたはウェブ形態で提供する方式で提供するＲＦＩＤアプリケーションサーバ１７０とを備え、放送受信端末１５０は、前記ＲＦＩＤアプリケーションサーバ１７０から提供された情報も、それに対応する画像と共に画面に表示する。
【００７８】
このとき、放送信号入力装置１１０は、図１のリーダ部１１００と放送信号生成部１２００とが合わせられた形であり、放送送信システム１３０は、図１の放送信号送信部１３００であり、分離化部１５１と放送受信端末１５０とは、図１の分離化部１４００および再生部１５００の機能をそのままあるいは分離して構成した形である。
【００７９】
図３と同様に、ＲＦＩＤ電子タグ１０１は、物品別認識に必要な製造日付、原産地、品質保証、流通過程、有効期間、履歴事項、生産者などの多様な製品情報を格納しているメモリやＲＦＩＤリーダ部１１１のアンテナ２１１（図６）から送信される周波数を受信できるアンテナや有効周波数信号の感知時に電子タグに格納されたメモリ内の情報をアンテナを介して送信する送信装置など、多様な用途とニーズに合わせて作られた半導体チップで構成される。
【００８０】
図４は、電子タグ放送のための電子タグ放送信号入力装置１１０の詳細構成図である。電子タグ放送信号入力装置１１０は、電子タグ１０１に記録された情報を読み出すための有効周波数信号を送信するか、または有効周波数範囲内に入った前記電子タグから情報を読み出すＲＦＩＤリーダ部１１１と、音声／画像などの入力を受ける撮影部１１５と、ＲＦＩＤリーダ部１１１から受けた認識情報を撮影部１１５を介して受けた画像／音声信号と共にエンコード（１２１ないし１２３）するための制御部１１２と、エンコードされた信号を多重化（１２４）させて伝送（１２５）する多重化部１１４と、必要に応じて放送信号を記録（１２７）または再生（１２８）するための録画部１１３とで構成される。
【００８１】
このとき、制御部１１２は、それぞれの画像／音声／認識情報信号別にビデオエンコーダ１２１、音声エンコーダ１２２、ＲＦＩＤ認識情報エンコーダ１２３を介してエンコードし、時間同期が必要な場合には、時間同期部１２０を通した同期を行えるように構成される。
【００８２】
図５は、ＲＦＩＤリーダ装置１１１の詳細ブロック構成図である。リーダ装置１１１は、電子タグ１０１に情報を要求する命令を一定の周波数信号形態で電子タグ１０１に送信するようにアンテナ２１１に伝達する送信部２１２と、周波数有効範囲内に近接した電子タグ１０１から要求された情報を非接触式の無線周波数方式で受信するアンテナ２１１と、アンテナ２１１を介して受信された電子タグ１０１の情報を受信する受信部２１２を備える送受信部２１０と、受信部２１２で受信した電子タグ情報または認識情報をデジタルに変換するか、または電子タグ入力システムの制御部１１２に送信するなど送信部２１３と受信部２１２とを制御し、送受信と関連した命令を処理するための認識制御部２１４と、必要に応じて外部ネットワーク２１６を介して電子タグ認識情報をさらに具体的な詳細情報に変換するための通信部２１５で構成される。
【００８３】
図６は、送受信部２１０の内部構造の一例を示す図面である。一つの送受信部２１０ごとに一つのアンテナ２１１、受信部２１２および送信部２１３で構成されている。
【００８４】
図７は、放送信号を受信して処理する端末側の構成を示す図面である。これは、電子タグ放送システムを介して伝送された電子タグ認識情報が含まれた放送信号を受信して、ＴＶ、セットップボックス、ＤＭＢ端末機、ＩＰ−ＴＶ端末などの放送端末１５０で電子タグ放送の活用が可能になるように、電子タグ認識情報が含まれた放送信号から電子タグ認識情報を分離して処理するための電子タグ放送受信装置である分離化部１５１に関する詳細ブロック構成図であって、電子タグ認識情報が含まれた放送信号を受信する受信部３１０と、放送信号を処理する放送信号分離化部３２０を経て分離された画像／音声／認識情報信号をデコードするビデオデコーダ３３０、音声デコーダ３４０およびＲＦＩＤ認識情報デコーダ３５０と、ＲＦＩＤ認識情報を放送によって別々維持／管理して処理するための電子タグ認識情報管理部／処理部３６０とで構成される。 
電子タグ認識情報管理部／処理部３６０は、ＲＦＩＤ認識情報を管理するために別々に図３のＲＦＩＤ認識情報確認サーバ１６０やＲＦＩＤアプリケーションサーバ１７０と通信する。
【００８５】
前記のように構成された本発明による電子タグ放送システムの具体的な動作と一実施形態を説明すれば、次の通りである。
【００８６】
まず、放送コンテンツ製作者は、音声／画像と共に認識情報を伝送しようとする物品１００に物品識別のためのＲＦＩＤ電子タグ１０１を付け、多重ＲＦＩＤ電子タグリーダ装置１１１を備えた電子タグ放送入力装置１１０を利用して、音声／画像と共に有効周波数範囲内に含まれて認識されるＲＦＩＤ電子タグ１０１の認識番号を入力される。
【００８７】
すなわち、各物品１００に付けられた電子タグ１０１が電子タグ放送入力装置１１０のＲＦＩＤリーダ部１１１の送信部２１３を経てアンテナ２１１から送信される周波数有効範囲内を過ぎれば、電子タグ１０１では、ＲＦＩＤリーダ部１１１から出る無線信号を感知して電子タグ１０１に格納されていた情報をＲＦＩＤリーダ部１１１に送る。
【００８８】
次いで、電子タグリーダ装置１１１内の受信部２１２で前記電子タグ１０１から各物品１００の多様な情報を受信すれば、電子タグリーダ装置１１１内の認識制御部２１４は、これを通信部２１５を介して電子タグ放送入力装置１１０内の制御部１１２に送る。
【００８９】
電子タグ放送入力装置１１０内の制御部１１２では、撮影部１１５を介して入力された画像信号と音声信号とに、多重ＲＦＩＤリーダ部１１１または複数の送受信部２１０を有するＲＦＩＤリーダ部１１１を介して受けた情報を共にエンコードして多重化部１２４に伝達して多重化し、送信部１２５を介して放送送信システム１３０に伝送して放送信号を送信、すなわち、放送する。
【００９０】
放送送信システム１３０では、多様な放送のための網１４０ないし１４２を活用した放送送信を行い、これを受信した放送受信端末１５０では、電子タグ放送受信装置である分離化部１５１を介して分離化された音声／画像／認識情報を受けてデコードする。放送端末１５０は、このデコードした結果を画面に表示して自動的にあるいはユーザの入力を受けてＲＦＩＤ認識情報確認サーバ１６０から関連情報を確認するか、またはＲＦＩＤアプリケーションサーバ１７０に関連サービスを要求するなど多様なサービスおよびアプリケーションを可能にする機能を提供する。
【００９１】
前述の内容であるが、ＲＦＩＤ電子タグを表す認識番号は、そのＲＦＩＤ固有の情報であり、この認識番号を認識番号と共に伝えられる撮影対象物品についての情報と関連させれば、その物品についての固有情報が生成されたことである。
【００９２】
放送送信されて分離化され、デコードされたＲＦＩＤ認識番号およびその認識番号に対応する撮影対象物品情報は、その物品についての固有情報といえる。例えば、ＲＦＩＤタグに情報が格納された物品が壁掛け時計である場合、物品についての情報には、その時計の製作会社、モデル名、製造日付、品質保証事項、サイズ、コスト、販売所情報のような情報が含まれている場合、再生部１５００（図１）あるいは放送受信端末１５０（図３）は、画面を再生しつつ、その画面に共に写された時計についての情報を画面に共に表示しうる。あるいは、再生画面と分離された他の画面に表示することもある。一画面に含まれた多様な物品が、それぞれ各物品に対応するＲＦＩＤ電子タグに物品関連情報が格納されている場合には、一画面に多様な物品に対する全ての情報が同時に表示されることもある。同様に、ユーザの選択によって複数の物品情報がある場合にも、特定の物品についての情報のみを表示させることもある。
【００９３】
画面が転換されれば、転換された画面に含まれた物品についての情報がある場合、その新たな物品についての情報が画面に共に表示される。
【００９４】
もちろん、このような表示される物品情報の種類も、ユーザの選択によって画面に表示されることを活性化あるいは非活性化することは、容易に採択される。
【００９５】
前記の場合、撮影される画面に現れる物品についての追加的な情報が分かる。例えば、物品に関連した情報に物品の位置した所についての情報が含まれた場合には、撮影地についての情報を知ることもできる。
【００９６】
このように物品についての追加的な情報をユーザに提供する以外にも、本発明を利用して多様な応用が可能である。
【００９７】
ユーザが再生される画面に物品情報が表示される商品を購買する意思がある場合、その物品情報を選択して直ぐ購買を選択するか、あるいはその商品を販売するサイトが表示されたものを選択して、そのサイトから商品についての追加的な情報をさらに見ることを選択しうる。これについての構成は、別々に開示していないが、このような追加的な実施形態は、本発明による放送システムを利用したので、可能である。
【００９８】
再生される画面が他の画面に転換された後に、以前の画面に出た物品についての情報を再び見ようとする場合がある。あるいは、以前に見たプログラムに出た物品を検索して所望の物品が探したい場合もある。
【００９９】
これを支援するために、図７のＲＦＩＤ認識情報管理部／処理部３６０は、ＲＦＩＤ電子タグ認識番号およびそれに対応する物品についての情報をＲＦＩＤ認識情報確認サーバ１６０あるいはＲＦＩＤアプリケーションサーバ１７０に要求する。ユーザが所望する場合、認識情報管理部／処理部３６０を介してこのサーバ１６０，１７０に接続して必要な情報を検索しうる。
【０１００】
あるいは、放送信号を送信するとき、前述したように、放送信号生成部１２００は、生成された静止画面あるいはスチールイメージを利用して検索しうる。この時に生成された静止画面あるいはスチールイメージには、その静止画像に含まれた物品についての情報が含まれている。放送送信時に、このような静止画面をインターネットのようなネットワークを介してＲＦＩＤ認識情報確認サーバ１６０あるいはＲＦＩＤアプリケーションサーバ１７０に同時に伝送し、このような静止画面には、ＲＦＩＤ認識番号および物品についての情報が共に含まれているので、サーバ内で他の静止画面とは区分されるようにデータベース化することが可能である。または、静止画面を送信する時に、その放送プログラムについての情報を共に含めてユーザが検索する基準をさらに提供することもある。
【０１０１】
前記のような方法で本発明を利用した派生的なサービスを提供する場合、ＲＦＩＤ認識情報確認サーバ１６０には、ＲＦＩＤ認識情報および物品についての情報を、そして、ＲＦＩＤアプリケーションサーバ１７０には、ＲＦＩＤ認識情報確認サーバ１６０に格納されたデータベースを基準に前述したような販売あるいは広報の加工された資料を格納しうる。機能的な面で区分されたＲＦＩＤ認識情報確認サーバ１６０とＲＦＩＤアプリケーションサーバ１７０とは、一つのサーバで統合して実現しうる。
【０１０２】
以下では、本発明を利用したアプリケーションサービスの、特にＲＦＩＤ認識情報確認サーバ１６０とＲＦＩＤアプリケーションサーバ１７０とを利用した本発明の実施形態を説明する。
【０１０３】
前記では、主にＲＦＩＤ電子タグに認識情報と共に、その電子タグを付けて撮影された物品についての情報を含んでいる場合の例を挙げて本発明が説明された。
【０１０４】
しかし、電子タグには、ＲＦＩＤ物品についての認識情報と共に追加情報を入れることもあるが、電子タグの内部の保存容量自体に限界があるので、通常、識別コードのみ入れるか、あるいは最小限の物品についての情報のみを格納し、その識別コードを解釈して追加情報サーバアドレスを得た後、追加情報サーバでさらに多くの情報を得る方式を採択しうる。
【０１０５】
例えば、この方式は、インターネットを使用するとき、ＩＰアドレスの代りに、例えば、ｗｗｗ．ｅｔｒｉ．ｒｅ．ｋｒというアドレスを使用するが、内部的には、ＤＮＳ（Ｄｏｍａｉｎ Ｎａｍｅ Ｓｅｒｖｉｃｅ）を介して１２９.２５４.１２２.１１に変換されて処理されることと類似した方法である。
【０１０６】
電子タグに含まれたＲＦＩＤについての認識番号を活用するためのＲＦＩＤ認識情報確認サーバ１６０には、各電子タグに入っている物品についての認識コードと共に追加情報を提供するＲＦＩＤアプリケーションサーバ１７０についてのＵＲＩ（Ｕｎｉｖｅｒｓａｌ Ｒｅｓｏｕｒｃｅ Ｉｄｅｎｔｉｆｉｅｒ）情報を格納している。
【０１０７】
ＲＦＩＤ認識情報確認サーバ１６０に電子タグから認識した認識コードをインターネットのようなネットワークを介して伝送して、ＲＦＩＤアプリケーションサーバについて要求すれば、該当ＲＦＩＤアプリケーションサーバ１７０についてのＵＲＩアドレスを返還する形態で動作する。
【０１０８】
この場合の動作方式は、ＤＮＳ方式のように動作し、このような方式の標準は、既に公知の内容である。
【０１０９】
そして、ＲＦＩＤアプリケーションサーバのＵＲＩアドレスは、例えば、ｈｔｔｐ：／／ｗｗｗ.ｅｔｒｉ.ｒｅ.ｋｒ／ｕｒｉ.ｈｔｍｌのような形態で伝えられるが、このＲＦＩＤアプリケーションサーバ１７０では、ウェブサービスまたはウェブ形態でユーザが要求した資源を提供する方式でサービスを提供する。
【０１１０】
このような追加情報を提供するＲＦＩＤアプリケーションサーバ１７０は、ＤＢ形態で構成されることもあり、独自的なデータスキーマを構成して多様な追加情報を提供することもある。例えば、ＸＭＬベースのＳＯＡＰメッセージ形態を基本にするウェブサービス方式で構成されることもある。そして、このサーバ１７０には、前述された電子タグを付けて撮影された物品についての情報が放送制作者のような側によって入力および加工されることもある。
【０１１１】
すなわち、本発明の一実施形態であって、電子タグからは物品認識についての情報のみを伝達され、この物品認識についての情報をＲＦＩＤ認識情報確認サーバ１６０に伝送して要求し、このＲＦＩＤ認識情報確認サーバ１６０では、該当認識コードに対応するＲＦＩＤアプリケーションサーバ１７０についての情報の存否を確認し、そのようなサーバがあれば、応答で該当アドレス情報を伝送し、ユーザがＲＦＩＤ認識情報確認サーバ１６０に接続した端末では、このアドレス情報を利用してＲＦＩＤアプリケーションサーバ１７０に情報を要求する方式で動作を行う。
【０１１２】
前述された実施形態の場合、放送信号に結合されて伝えられるものは、ＲＦＩＤ認識番号のみであり、電子タグを付けて撮影された物品についての情報は、あらかじめ、例えば、放送製作者によって加工されてＲＦＩＤアプリケーションサーバ１７０に格納される。このＲＦＩＤ認識番号を受信した放送受信装置である分離化部１５１は、このＲＦＩＤ認識番号をインターネットのようなネットワーク１４３を介してＲＦＩＤ認識情報確認サーバ１６０に伝送し、前述したように要求して該当するＲＦＩＤアプリケーションサーバ１７０を探し、そのサーバ１７０に再び接続して所望のＲＦＩＤ認識番号に該当する追加的な情報であるアプリケーション情報を受けて放送受信端末１５０を介してユーザに出力する。
【０１１３】
もちろん、この場合、ユーザは、あらかじめ選択的に受信したＲＦＩＤ認識番号に対応する情報であるＲＦＩＤタグを付けられた物品についての追加的な情報を追加的に検索して表示することを選択することもあり、あるいは、そのような追加情報を検索しないようにすることもできる。
【０１１４】
前記のような構成を介して図２のステップ２５００の次に、前記電子タグ認識番号を各電子タグに入っている物品についての認識番号と共に、その認識番号と関連して追加情報を提供するＲＦＩＤアプリケーションサーバ１７０についてのＵＲＩ情報を格納するＲＦＩＤ認識情報確認サーバ１６０にＲＦＩＤ認識番号を伝達し、それに対応するＵＲＩ情報を応答として伝送され、前記ＵＲＩ情報によって接続して要求した応答としてＲＦＩＤアプリケーションサーバ１７０から伝送される前記電子タグ認識番号に対応する情報を受信して再生画面に同時に含めて表示する。
【０１１５】
結果的に、本発明は、電子タグの認識番号と物品情報とを読み出してその物品情報を利用する方法と、電子タグの認識番号に対応する追加情報を格納しているサーバを探して、そのサーバからの追加情報を利用するのである。後者の場合、該当認識番号から実際にその認識番号についての情報を有している追加情報提供サーバであるアプリケーションサーバ１７０のアドレスに変換するデータを有している認識情報確認サーバ１６０にアプリケーションサーバ１７０のＵＲＩを得る。
【０１１６】
前述したような内容以外にも、本発明を利用して得た情報を利用した多様な付加サービスが可能である。
【０１１７】
キャプションサービスを利用して画面に登場する物品についての情報を提供できる。しかし、キャプションサービスを利用する場合には、あらかじめ画面に登場する物品についてのシナリオが何れも準備されてこそ、本発明と類似した結果を提供しうる。例えば、数十個の物品がある画面に現れ、出演人がそのうちで選択した物品についての情報のみを画面に表示することは、本発明を利用すれば容易に達成できるが、キャプションサービスのような手段を利用して自動的に提供することは不可能であるということが容易に分かる。
【０１１８】
また、図１に示される電子タグ１０００、リーダ部１１００、放送信号生成部１２００、および放送信号送信部１３００を含む電子タグ認識装置をＣＣＴＶに付けることにより、特定の領域にＣＣＴＶを確立し、ＣＣＴＶによりキャプチャされる画像および電子タグ信号を記録することにより、盗難防止、保安／監視システムを実現できる。
【０１１９】
また、本発明による各動作は、一般的なプログラミング手段を使用してソフトウェアまたはハードウェアの形式で実現できることを当業者は理解されたい。
【０１２０】
本発明はまた、コンピュータで可読記録媒体上にコンピュータ可読コードとして実装できる。コンピュータで可読記録媒体は、データを格納できるデータ格納装置であり、その後コンピュータシステムにより読み出すことができる。
【図面の簡単な説明】
【０１２１】
【図１】本発明の実施形態による電子タグ放送システムを示すブロック図である。
【図２】本発明の実施形態による電子タグを使用した放送方法を例示したフローチャートである。
【図３】本発明の実施形態による放送システムの構成ブロック図である。
【図４】図３に示されるＲＦＩＤリーダ部の詳細な構成のブロック図である。
【図５】図３に示されるＲＦＩＤリーダ装置の詳細構成のブロック図である。
【図６】本発明の実施形態による送受信部の内部構造の一例を示す。
【図７】本発明の実施形態による放送信号を受信して処理する端末の構成を示す。
【図１】
2008547305.tif 000005
【図２】
2008547305.tif 000006
【図３】
2008547305.tif 000007
【図４】
2008547305.tif 000008
【図５】
2008547305.tif 000009
【図６】
2008547305.tif 000010
【図７】
2008547305.tif 000011
【国際調査報告】
2008547305.tif 000012
2008547305.tif 000013